(57)【要約】【課題】暗所、高所等の設置環境にかかわらず、補助具等を使用すること無しに状態の識別を正確にできるガスメータを提供することを目的とする。【解決手段】状態表示を示す標記を有しており、複数の表示箇所Ａ、Ｂ、Ｃで表示する表示手段２と、前記複数の表示箇所Ａ、Ｂ、Ｃ毎に発光する発光手段３、４、５とを含み、前記表示箇所Ａ、Ｂ、Ｃの後方から前記発光手段３、４、５を点灯させることにより、状態を示す標記を明確に視認することができ、動作状態を暗所、高所等の設置環境に左右されること無く正確に識別することができる。【選択図】図２
2012018032.tif 000002
【特許請求の範囲】
【請求項１】
状態表示を示す標記を有しており、複数の表示箇所で表示する表示手段と、
前記複数の表示箇所毎に発光する発光手段と、を含み、
前記表示箇所の後方から前記発光手段を点灯させる、
ガスメータ。
【請求項２】
前記表示手段は、前記発光手段を後方に配置する部分のみを透過構造にした、
請求項１記載のガスメータ。
【請求項３】
前記表示手段は、前記発光手段を後方に配置する部分のみを半透過構造にした、
請求項１記載のガスメータ。
【請求項４】
前記発光手段の発光色を前記表示箇所によって異なるようにした、
請求項１〜３のいずれか１項に記載のガスメータ。
【請求項５】
前記発光手段を多色発光素子で構成した、
請求項１〜４のいずれか１項に記載のガスメータ。
【請求項６】
前記発光手段を点滅表示させる、
請求項１〜５のいずれか１項に記載のガスメータ。
【請求項７】
前記表示手段と前記発光手段を一体化して、表示と発光部の相互位置関係を固定化した、
請求項１〜６のいずれか１項に記載のガスメータ。
【請求項８】
前記発光手段での電源消費を補うために、補助電源を搭載した、
請求項１〜７のいずれか１項に記載のガスメータ。
【発明の詳細な説明】
【技術分野】
【０００１】
本発明は、機器の状態表示機能を有するガスメータに関するものである。
【背景技術】
【０００２】
従来この種のガスメータは、種々の状態表示を行う表示手段を備え、ガスメータの状態に応じて表示手段の標記を点灯または点滅させて、動作状態を判別できるようにしている。また、状態表示の識別容易化のために表示手段とは別の位置に発光手段を配置し、表示手段の状態表示の補助機能として発光手段を備えるものもある（例えば、特許文献１参照）。
【０００３】
図３は特許文献１に記載された従来のガスメータを示すものである。図３に示すように、ガスメータの筐体１１に表示手段１２と発光手段１３を搭載したコントローラ１６を収め、電池１７から電源を供給するように構成されている。
【先行技術文献】
【特許文献】
【０００４】
【特許文献１】特開２００３−３３７０５８号公報
【発明の概要】
【発明が解決しようとする課題】
【０００５】
しかしながら、前記従来の構成では、状態表示手段のキャラクタ表示を識別しにくい暗所や高所にガスメータを設置された場合、状態表示を正確に判読できない場合があり、照明器具や踏み台等の補助具を使って状態を確認しなければならないという課題を有していた。
【０００６】
また、発光手段を配置した場合でも、表示しているキャラクタとの関係が不明瞭で、状態の識別を誤判定するという課題も有していた。
【０００７】
本発明は、前記従来の課題を解決するもので、暗所や高所にガスメータを設置された場合でも補助具等を使用すること無しに状態の識別を正確にできるガスメータを提供することを目的とする。
【課題を解決するための手段】
【０００８】
前記従来の課題を解決するために、本発明のガスメータは、状態表示を示す標記を有しており、複数の表示箇所で表示する表示手段と、複数の表示箇所毎に発光する発光手段とを含み、表示箇所の後方から発光手段を点灯させるものである。
【０００９】
これによって、状態表示をする標記を正確に判別することができるので、暗所や高所にガスメータを設置された場合でも補助具を使用すること無しにガスメータの状態の識別を正確に行うことができる。
【発明の効果】
【００１０】
本発明のガスメータは、動作状態を暗所、高所等の設置環境に左右されること無く正確に識別することができる。
【図面の簡単な説明】
【００１１】
【図１】本発明の実施の形態１におけるガスメータの構成図
【図２】（ａ）は本発明の実施の形態１における表示部の構成を示す平面図、（ｂ）は表示部の構成を示す断面図
【図３】従来のガスメータの構成図
【発明を実施するための形態】
【００１２】
第１の発明は、状態表示を示す標記を有しており、複数の表示箇所で表示する表示手段と、前記複数の表示箇所毎に発光する発光手段とを含み、前記表示箇所の後方から前記発光手段を点灯させることにより、状態を示す標記を明確にすることができ、動作状態を暗所、高所等の設置環境に左右されること無く正確に識別することができる。
【００１３】
第２の発明は、特に、第１の発明において、前記表示手段は、前記発光手段を後方に配置する部分のみを透過構造とすることにより、状態を表示する標記をさらに明確にすることにでき、状態の識別時の誤判定を低減させることができる。
【００１４】
第３の発明は、特に、第１の発明において、前記表示手段は、前記発光手段を後方に配置する部分のみを半透過構造とすることにより、ガスメータの設置場所が明るい所であっても状態表示標記の識別を容易にすることができる。
【００１５】
第４の発明は、特に、第１〜第３のいずれか１つの発明において、前記発光手段の発光色を前記表示箇所によって異なるようにすることにより、状態を表示する標記をさらに明確にすることにでき、状態の識別時の誤判定を低減させることができる。
【００１６】
第５の発明は、特に、第１〜第４のいずれか１つの発明において、前記発光手段を多色発光素子とすることにより、状態表示の組合せを増加させることができる。
【００１７】
第６の発明は、特に、第１〜第５のいずれか１つの発明において、前記発光手段を点滅表示させることにより、電源である電池の消費を低減させることができる。
【００１８】
第７の発明は、特に、第１〜第６のいずれか１つの発明において、前記表示手段と前記発光手段を一体化して、表示と発光部の相互位置関係を固定化することにより、ガスメータの構成要素であるコントローラの組立性を向上させることができる。
【００１９】
第８の発明は、特に、第１〜第７のいずれか１つの発明において、前記発光手段での電源消費を補うために、補助電源を搭載することにより、発光手段の点灯や点滅が多い場合でも、ガスメータの基本機能を損なうことなく動作状態の識別を正確に行うことができる。
【００２０】
以下、本発明の実施の形態について、図面を参照しながら説明する。なお、この実施の形態によって本発明が限定されるものではない。
【００２１】
（実施の形態１）
図１は、本発明の実施の形態１におけるガスメータの構成図を示すものであり、図２は、本発明の実施の形態における表示部の構成図を示すものである。
【００２２】
図１において、ガスメータの状態表示が可能な表示手段２は、発光手段３、４、５と共にコントローラ６上に配置され、コントローラ６に電源を供給する電池７と補助電源８と共にガスメータの筐体１に内蔵されている。
【００２３】
表示手段２は、全面半透過構造の液晶表示素子を使用し、図１に示すように３箇所の表示箇所Ａ、Ｂ、Ｃを有し、表示箇所毎に文字や記号等の各種標記を表示することができる
。
【００２４】
図２に示すように、ガスメータの状態表示が可能な表示手段２はコントローラ６と電気的に接続され、表示箇所はコントローラ６からの信号により種々の表示を行う。また、発光手段３、４、５は表示手段２の表示箇所の後方に配置された発光手段保持部９に実装されて表示手段２と一体化し、コントローラ６と電気的に接続され、コントローラ６からの信号により点灯や点滅する。
【００２５】
以上のように構成されたガスメータについて、以下その動作、作用を説明する。
【００２６】
ガスメータは、ガス流量の計測を主機能としているが、使用されているガスの状態に応じて種々の動作と表示を行い、ユーザーやガス供給業者に報知する機能も、もう一つの主要機能となっている。ここでは、説明の簡素化のため、状態をａ、ｂ、ｃの３モードに限定している。
【００２７】
まず、ガスメータの状態がａモードの時は表示手段２の表示箇所Ａの表示がなされ、表示手段２の後方に配置された発光手段３が点灯または点滅を行うことにより、ガスメータ１がａモードであることを明確に表示する。同様にｂモードの時は、表示手段２の表示箇所Ｂと発光手段４がｃモードの時は、表示手段２の表示箇所Ｃと発光手段５が点灯または点滅表示する。
【００２８】
表示手段２は、表示箇所Ａ、Ｂ、Ｃの後方からの発光手段３、４、５の光を透過させ、且つ標記を判読するために全面半透過構造の液晶表示素子を使用する構成のほかに、発光手段３、４、５を後方に配置していない標記の視認性を良くするために、発光手段３、４、５を後方に配置していない部分以外を反射構造とし、発光手段３、４、５を後方に配置している表示箇所Ａ、Ｂ、Ｃ部分のみを透過構造とする方法もある。
【００２９】
またガスメータの設置場所が明るい所の場合の発光手段３、４、５を後方に配置している標記部分の視認性を重視する場合は、発光手段３、４、５を後方に配置している表示箇所Ａ、Ｂ、Ｃの部分のみを半透過構造とする方法もある。
【００３０】
さらに、発光手段３、４、５はそれぞれ異なる色彩の発光ダイオード等を使用すれば、更に視認性や判別性を向上させることができる。また、発光手段３、４、５を多色発光素子で構成すれば、状態表示の組合せを増加させることができ、より詳細な状態を表示することができる。
【００３１】
発光手段３、４、５は、図２の側面図に示すように表示手段２の後方に配置された発光手段保持部９に実装されて、表示手段２と一体化することによりコントローラ６の組立性の向上を図ることができる。しかしながら、実装スペースの関係等で発光手段保持部９を使用せず、発光手段３、４、５をコントローラ６に直接実装しても同様の機能は得ることができる。
【００３２】
電池７はコントローラ６の電源供給の機能を有するが、発光手段３、４、５の点灯または点滅が多い仕様を採用する場合は、太陽電池等の補助電源８を付加すれば、ガスメータの基本機能を損なうことなく動作状態の識別を正確に行えるようにできる。
【００３３】
以上のように、本実施の形態においては、種々の状態表示が可能な表示手段と、状態に応じて発光する発光手段を備え、機器の状態に応じて前記表示手段の後方から前記発光手段を点灯させることにより、状態を示す標記を明確にすることができ、動作状態を暗所、高所等の設置環境に左右されること無く正確に識別することができる。
【００３４】
ここでは、説明の簡素化のために、表示箇所Ａ、Ｂ、Ｃにのみ発光手段３、４、５を表示手段２の後方に配置する説明をしたが、他の標記も同様に発光手段を配置すれば、より視認性の良いガスメータを供給することができる。
【産業上の利用可能性】
【００３５】
以上のように、本発明にかかるガスメータは、動作状態を暗所、高所等の設置環境に左右されること無く正確に識別することができるので、膜式のガスメータだけではなく、超音波式や熱式のガスメータにも適用できる。
【符号の説明】
【００３６】
２  表示手段
３、４、５  発光手段
８  補助電源
Ａ、Ｂ、Ｃ  表示箇所
【図１】
2012018032.tif 000003
【図２】
2012018032.tif 000004
【図３】
2012018032.tif 000005